【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
与干渉セルが送信抑制しているサブフレームに対応した、被干渉セルのプロテクトサブフレームと、前記与干渉セルが送信抑制していないサブフレームに対応した、前記被干渉セルのノンプロテクトサブフレームと、を受信する受信部と、
前記プロテクトサブフレームと前記ノンプロテクトサブフレームにそれぞれ多重された参照信号から受信品質をそれぞれ測定する測定部と、
前記測定部で測定された前記プロテクトサブフレームと前記ノンプロテクトサブフレームの２種類の受信品質情報を基地局装置へ通知する送信部と、
を具備したことを特徴とする移動端末装置。
【請求項２】
前記プロテクトサブフレームにおいて受信品質を測定するサブフレーム位置と前記ノンプロテクトサブフレームにおいて受信品質を測定するサブフレーム位置とがそれぞれシグナリングによって設定されることを特徴とする請求項１記載の移動端末装置。
【請求項３】
前記プロテクトサブフレームと前記ノンプロテクトサブフレームの２種類の受信品質を測定するサブフレームを特定するための情報がハイヤレイヤシグナリングされることを特徴とする請求項１記載の移動端末装置。
【請求項４】
前記測定部は、前記参照信号の１つであるＣＳＩ−ＲＳ(Channel  State  Information  Reference  Signal)が多重されたプロテクト又はノンプロテクトサブフレームで、前記ＣＳＩ−ＲＳを用いた干渉推定によって受信品質を測定し、前記ＣＳＩ−ＲＳが多重されたサブフレームとは異なるプロテクト又はノンプロテクトサブフレームで、前記参照信号の他の１つであるＣＲＳ（Common  Reference  Signal）を用いた干渉推定によって受信品質を測定し、
前記送信部は、前記ＣＳＩ−ＲＳと前記ＣＲＳで測定された２種類の受信品質情報を基地局装置へ通知する、ことを特徴とする請求項１記載の移動端末装置。
【請求項５】
前記測定部は、前記参照信号の１つであるＣＳＩ−ＲＳが多重されたプロテクト又はノンプロテクトサブフレームで、前記ＣＳＩ−ＲＳを用いた干渉推定によって受信品質を測定し、前記ＣＳＩ−ＲＳが多重されたサブフレームとは異なるサブフレームであって、前記与干渉セルがデータチャネルの送信を停止しているサブフレームで、前記ＣＲＳを用いた干渉推定によって受信品質を測定する、ことを特徴とする請求項１記載の移動端末装置。
【請求項６】
前記測定部は、前記参照信号の１つであるＣＳＩ−ＲＳと前記参照信号の他の１つであるＣＲＳとが多重された同一サブフレーム内で、前記ＣＳＩ−ＲＳと前記ＣＲＳとを用いた干渉推定によって２種類の受信品質を測定する、ことを特徴とする請求項１記載の移動端末装置。
【請求項７】
前記受信部は、被干渉セルの基地局装置から通知される報知信号又は個別信号を受信し、
前記測定部は、前記報知信号又は個別信号から取得されるＣＳＩ測定対象となるサブフレーム間の時間差分を示す時間オフセット値を用いて、前記プロテクトサブフレーム又は前記ノンプロテクロサブフレームの一方のサブフレーム位置を特定することを特徴とする請求項１記載の移動端末装置。
【請求項８】
前記受信部は、被干渉セルの基地局装置から通知される報知信号又は個別信号を受信し、
前記測定部は、前記報知信号又は個別信号から取得される干渉測定用参照信号情報にしたがってＣＳＩ測定対象となるサブフレームで測定すべき参照信号の種別を特定することを特徴とする請求項１記載の移動端末装置。
【請求項９】
前記受信部は、被干渉セルの基地局装置から通知される報知信号又は個別信号を受信し、
前記測定部は、前記報知信号又は個別信号から取得されるＣＳＩ測定用サブフレーム情報に基づいてＣＳＩ測定対象となるサブフレーム位置を特定することを特徴とする請求項１記載の移動端末装置。
【請求項１０】
与干渉セルが送信抑制しているサブフレームに対応した、被干渉セルのプロテクトサブフレームと、前記与干渉セルが送信抑制していないサブフレームに対応した、被干渉セルのノンプロテクトサブフレームとが混在する被干渉セルの無線フレームを送信する送信部と、
前記プロテクトサブフレーム又は前記ノンプロテクトサブフレームに所定周期で参照信号の１つであるＣＳＩ−ＲＳを多重するＣＳＩ−ＲＳ配置部と、
前記被干渉セルの無線フレームを構成する各サブフレームに参照信号の１つであるＣＲＳを多重するＣＲＳ配置部と、
被干渉セル内で前記無線フレームを受信した移動端末装置からフィードバックされる前記プロテクトサブフレームと前記ノンプロテクトサブフレームの２種類の受信品質情報を受信する受信部と、
前記移動端末装置からフィードバックされる前記２種類の受信品質情報を用いて、当該移動端末装置に対して無線リソースを割り当てるユーザデータ配置部と、
を具備したことを特徴とする基地局装置。
【請求項１１】
前記プロテクトサブフレームにおいて受信品質を測定するサブフレーム位置と前記ノンプロテクトサブフレームにおいて受信品質を測定するサブフレーム位置とを前記移動端末装置に対してそれぞれシグナリングすることを特徴とする請求項１０記載の基地局装置。
【請求項１２】
前記プロテクトサブフレームと前記ノンプロテクトサブフレームの２種類の受信品質を測定するサブフレームを特定するための情報を前記移動端末装置に対してハイヤレイヤシグナリングすることを特徴とする請求項１０記載の基地局装置。
【請求項１３】
ＣＳＩ測定対象となるサブフレーム間の時間差分を示す時間オフセット値を報知信号又は個別信号で前記移動端末装置へシグナリングすることを特徴とする請求項１０記載の基地局装置。
【請求項１４】
ＣＳＩ測定対象となるサブフレームで測定すべき参照信号の種別が設定された干渉測定用参照信号情報を報知信号又は個別信号で前記移動端末装置へシグナリングすることを特徴とする請求項１０記載の基地局装置。
【請求項１５】
ＣＳＩ測定対象となるサブフレーム位置を指定したＣＳＩ測定用サブフレーム情報を報知信号又は個別信号で前記移動端末装置へシグナリングすることを特徴とする請求項１０記載の基地局装置。
【請求項１６】
与干渉セルが送信抑制しているサブフレームに対応した、被干渉セルのプロテクトサブフレームと、前記与干渉セルが送信抑制していないサブフレームに対応した、前記被干渉セルのノンプロテクトサブフレームと、が混在する無線フレームを受信するステップと、
前記プロテクトサブフレームと前記ノンプロテクトサブフレームにそれぞれ多重された参照信号から受信品質をそれぞれ測定するステップと、
前記測定された前記プロテクトサブフレームと前記ノンプロテクトサブフレームの２種類の受信品質情報を基地局装置へ通知するステップと、
を具備したことを特徴とするＣＳＩフィードバック方法。
【請求項１７】
与干渉セルが送信抑制しているサブフレームに対応した、被干渉セルのプロテクトサブフレームと、前記与干渉セルが送信抑制していないサブフレームに対応した被干渉セルのノンプロテクトサブフレームとが混在する無線フレームを送信するステップと、
前記プロテクトサブフレーム又は前記ノンプロテクトサブフレームに所定周期で参照信号の１つであるＣＳＩ−ＲＳを多重するステップと、
前記被干渉セルの無線フレームを構成する各サブフレームに参照信号の１つであるＣＲＳを多重するステップと、
被干渉セル内で前記無線フレームを受信した移動端末装置からフィードバックされる前記プロテクトサブフレームと前記ノンプロテクトサブフレームの２種類の受信品質情報を受信するステップと、
前記移動端末装置からフィードバックされる前記２種類の受信品質情報を用いて、当該移動端末装置に対して無線リソースを割り当てるステップと、
を具備したことを特徴とする通信制御方法。
【請求項１８】
基地局装置と、前記基地局装置に接続する移動端末装置とを備えた無線通信システムにおいて、
前記基地局装置は、
与干渉セルが送信抑制しているサブフレームに対応した、被干渉セルのプロテクトサブフレームと、前記与干渉セルが送信抑制していないサブフレームに対応した、被干渉セルのノンプロテクトサブフレームとが混在する被干渉セルの無線フレームを送信する送信部と、
前記プロテクトサブフレーム又は前記ノンプロテクトサブフレームに所定周期で参照信号の１つであるＣＳＩ−ＲＳを多重するＣＳＩ−ＲＳ配置部と、
前記被干渉セルの無線フレームを構成する各サブフレームに参照信号の１つであるＣＲＳを多重するＣＲＳ配置部と、
被干渉セル内で前記無線フレームを受信した移動端末装置からフィードバックされる前記プロテクトサブフレームと前記ノンプロテクトサブフレームの２種類の受信品質情報を受信する受信部と、
前記移動端末装置からフィードバックされる前記２種類の受信品質情報を用いて、当該移動端末装置に対して無線リソースを割り当てるユーザデータ配置部と、を具備し、
前記移動端末装置は、
前記被干渉セルのプロテクトサブフレームと前記被干渉セルのノンプロテクトサブフレームとを受信する受信部と、
前記プロテクトサブフレームと前記ノンプロテクトサブフレームにそれぞれ多重された前記参照信号から受信品質をそれぞれ測定する測定部と、
前記測定部で測定された前記プロテクトサブフレームと前記ノンプロテクトサブフレームの２種類の受信品質情報を前記基地局装置へ通知する送信部と、
を具備したことを特徴とする無線通信システム。
【手続補正２】
【補正対象書類名】明細書
【補正対象項目名】発明の名称
【補正方法】変更
【補正の内容】
【発明の名称】移動端末装置、基地局装置、ＣＳＩフィードバック方法、通信制御方法及び無線通信システム
【手続補正３】
【補正対象書類名】明細書
【補正対象項目名】０００６
【補正方法】変更
【補正の内容】
【０００６】
本発明の無線通信システムは、基地局装置と、前記基地局装置に接続する移動端末装置とを備えた無線通信システムにおいて、前記基地局装置は、与干渉セルが送信抑制しているサブフレームに対応した、被干渉セルのプロテクトサブフレームと、前記与干渉セルが送信抑制していないサブフレームに対応した、被干渉セルのノンプロテクトサブフレームとが混在する被干渉セルの無線フレームを送信する送信部と、前記プロテクトサブフレーム又は前記ノンプロテクトサブフレームに所定周期で参照信号の１つであるＣＳＩ−ＲＳを多重するＣＳＩ−ＲＳ配置部と、前記被干渉セルの無線フレームを構成する各サブフレームに参照信号の１つであるＣＲＳを多重するＣＲＳ配置部と、被干渉セル内で前記無線フレームを受信した移動端末装置からフィードバックされる前記プロテクトサブフレームと前記ノンプロテクトサブフレームの２種類の受信品質情報を受信する受信部と、前記移動端末装置からフィードバックされる前記２種類の受信品質情報を用いて、当該移動端末装置に対して無線リソースを割り当てるユーザデータ配置部と、を具備し、前記移動端末装置は、前記被干渉セルのプロテクトサブフレームと前記被干渉セルのノンプロテクトサブフレームとを受信する受信部と、前記プロテクトサブフレームと前記ノンプロテクトサブフレームにそれぞれ多重された前記参照信号から受信品質をそれぞれ測定する測定部と、前記測定部で測定された前記プロテクトサブフレームと前記ノンプロテクトサブフレームの２種類の受信品質情報を前記基地局装置へ通知する送信部と、を具備したことを特徴とする。